(57)【要約】【課題】オットマン本体を前後方向の任意の位置に固定でき、簡易な操作でオットマン本体を収納可能なオットマン装置及びシートを提供する。【解決手段】オットマン本体３０と、オットマン本体３０をシートの下部の収納位置からシートの前方の足載せ位置に展開可能とする展開装置２０と、操作部６０とからなるオットマン装置１０である。オットマン本体３０は、基部４０と、基部４０に対して前後方向にスライド可能に設けられたスライド部３１とを備え、操作部６０は足載せ位置においてスライド部３１を基部４０に対して前後方向にスライド移動させるとともに、展開装置２０がオットマン本体３０を足載せ位置から収納位置に移動させる動作に連動して前方にスライドしたスライド部３１を後退させる。オットマン本体３０を前後方向の任意の位置に固定でき、簡易な操作でオットマン本体３０を収納可能である。【選択図】図３
2008049066.tif 000002
【特許請求の範囲】
【請求項１】
オットマン本体と、オットマン本体をシートの下部の収納位置からシートの前方の足載せ位置に展開可能とする展開装置と、操作部とからなるオットマン装置において、
前記オットマン本体は、基部と、基部に対して前後方向にスライド可能に設けられたスライド部とを備え、
前記操作部は足載せ位置においてスライド部を基部に対して前後方向にスライド移動させるとともに、前記展開装置がオットマン本体を足載せ位置から収納位置に移動させる動作に連動して前方にスライドしたスライド部を後退させることを特徴とするオットマン装置。
【請求項２】
前記オットマン本体は、スライド部を基部に対して前方向に付勢する付勢部材を備え、
前記操作部は、スプリングブレーキと、スプリングブレーキのシャフトに設けられ、シャフトともに回転する第１ドラムと、第１ドラムと連動して回転する第２ドラムと、第２ドラムに巻き取られる第１ケーブルと、第１ケーブルと反対の回転方向に第１ドラムに巻き取られる第２ケーブルとを有し、
前記第１ケーブルは、第２ドラムに巻き取られることにより、スライド部を後方向に引っ張り、第２ドラムから繰り出されることで、スライド部の前方への移動を許容し、
前記第２ケーブルは展開装置が足載せ位置から収納位置へ移動するときに展開装置により引っ張られて第１ドラムより引き出されることを特徴とする請求項１に記載のオットマン装置。
【請求項３】
請求項１または２に記載のオットマン装置を備えることを特徴とするシート。
【発明の詳細な説明】
【技術分野】
【０００１】
本発明は、シートに設けられるオットマン装置及びシートに関する。
【背景技術】
【０００２】
従来、例えば車両等に用いられるシートには、シート下部に収納されるオットマン装置が設けられたものがある。
例えば、特許文献１に記載のオットマン装置では、オットマン本体がシート下部に折りたたまれて収納されており、オットマン本体を回転させてシートの前方へ繰り出す構造とされている。そして、オットマン本体に設けられたスライド軸がシートに対して前後方向にスライド可能に取り付けられている。スライド軸には前後二箇所に係合溝が設けられ、シート側に設けられたロック爪を係合溝に係合させることでオットマン本体の前後位置を固定する構造とされている。
【特許文献１】特開２００２−１１９３７７号公報
【発明の開示】
【発明が解決しようとする課題】
【０００３】
しかし、スライド軸に設けた係合溝にロック爪を係合させる構造では、オットマン本体の前後位置が係合溝の位置より定まるため、任意の位置にオットマン本体を固定することができなかった。
【０００４】
また、オットマン本体を前方にスライドさせた位置のままでオットマン本体をシート下部に収納しようとすると、オットマン本体の先端が床にぶつかり収納できない。このため、先にオットマン本体を後方にスライドさせてから収納する必要があり、操作が煩雑となっていた。
【０００５】
本発明の課題は、オットマン本体を前後方向の任意の位置に固定でき、簡易な操作でオットマン本体を収納可能なオットマン装置及びシートを提供することである。
【課題を解決するための手段】
【０００６】
以上の課題を解決するため、請求項１に記載の発明は、オットマン本体と、オットマン本体をシートの下部の収納位置からシートの前方の足載せ位置に展開可能とする展開装置と、操作部とからなるオットマン装置において、前記オットマン本体は、基部と、基部に対して前後方向にスライド可能に設けられたスライド部とを備え、前記操作部は足載せ位置においてスライド部を基部に対して前後方向にスライド移動させるとともに、前記展開装置がオットマン本体を足載せ位置から収納位置に移動させる動作に連動して前方にスライドしたスライド部を後退させることを特徴とする。
【０００７】
請求項２に記載の発明は、請求項１に記載のオットマン装置において、前記オットマン本体は、スライド部を基部に対して前方向に付勢する付勢部材を備え、前記操作部は、スプリングブレーキと、スプリングブレーキのシャフトに設けられ、シャフトともに回転する第１ドラムと、第１ドラムと連動して回転する第２ドラムと、第２ドラムに巻き取られる第１ケーブルと、第１ケーブルと反対の回転方向に第１ドラムに巻き取られる第２ケーブルとを有し、前記第１ケーブルは、第２ドラムに巻き取られることにより、スライド部を後方向に引っ張り、第２ドラムから繰り出されることで、スライド部の前方への移動を許容し、前記第２ケーブルは展開装置が足載せ位置から収納位置へ移動するときに展開装置により引っ張られて第１ドラムより引き出されることを特徴とする。
【０００８】
請求項３に記載の発明は、請求項１または２に記載のオットマン装置を備えることを特徴とするシートである。
【発明の効果】
【０００９】
本発明によれば、オットマン本体を前後方向の任意の位置に固定することができる。また、簡易な操作でオットマン本体を収納することができる。
【発明を実施するための最良の形態】
【００１０】
以下、本発明の実施形態について詳細に説明する。
図１は本発明に係るオットマン装置１０を取り付けたシート１の側面図である。このシート１は、例えば自動車等のシート１として用いられ、シートボトム２、バックレスト３、ヘッドレスト４等からなる。本発明に係るオットマン装置１０は、シートボトム２の前側の下部に折りたたまれた状態で収納されている。
【００１１】
図２はオットマン装置１０の分解斜視図であり、図３はオットマン装置１０の動作を示す側面図である。オットマン装置１０は、図２に示すように、リンク機構２０（展開装置）と、オットマン本体３０とからなる。なお、図２ではリンク機構２０の後述するダンパー２６を省略している。
【００１２】
リンク機構２０は、固定部２１と、リンク２２，２３，２４，２５と、ダンパー２６（図３参照）とからなる。
固定部２１はシートボトム２の前側の下部に取り付けられ、固定部２１の前部にリンク２２の一端が、後部にリンク２５の一端が揺動可能に取り付けられている。また、図１，図２に示すように、左側の固定部２１には、後述するチューブ７２の一端部を取り付ける取付部２１ａが設けられている。
【００１３】
リンク２２の固定部２１と反対側の端部には、リンク２３の一端が揺動可能に取り付けられている。リンク２３のリンク２２と反対側の端部はオットマン本体３０の前側に揺動可能に取り付けられている。
【００１４】
また、リンク２２の中央部にはリンク２４の中央部が回転可能に取り付けられている。リンク２４の一端はリンク２５の固定部２１と反対側の端部に揺動可能に取り付けられており、他端はオットマン本体３０の後側に揺動可能に取り付けられている。
【００１５】
リンク２５には、固定部２１側端部の近傍に、ダンパー２６のピストンが取り付けられている（図３参照）。また、図１，図２に示すように、左側のリンク２５には、後述するケーブル７１が挿通されケーブル７１の先端７１ａと係合する係合部２５ａが設けられている。
ダンパー２６は、例えばガスダンパー等であり、ピストンがリンク２５に取り付けられ、シリンダーが固定部２１に取り付けられる。
【００１６】
ダンパー２６は伸張することでリンク２５を固定部２１に対して前側に揺動するように付勢し、リンク２５が後側に揺動されることで収縮され、付勢力を蓄積する。なお、ダンパー２６には図示しないロック機構が設けられる。ロック機構が作用した状態ではダンパー２６は伸縮せず、ロック解除された状態でのみ伸縮する。ロック機構の操作はシートボトム２に設けられた図示しないレバーにより行うことができる。
【００１７】
図３（ａ）に示す収納位置においてロック機構を解除することにより、ダンパー２６の付勢力によりリンク２５が前側に揺動され、リンク２２，２３，２４が連動し、オットマン本体３０は収納位置から図３（ｂ）に示す足載せ位置まで移動する。この状態でロック機構を作用させることで、リンク２２，２３，２４，２５が固定され、オットマン本体３０の上載荷重を支持することができる。
なお、このとき、係合部２５ａが取付部２１ａに対して近づくため、ケーブル７１の先端７１ａが係合部２５ａから外れることになる。
【００１８】
足載せ位置においてロック機構を解除し、オットマン本体３０に上載荷重を作用させると、ダンパー２６の付勢力に抗してリンク２２，２３，２４，２５が連動し、図３（ａ）に示す収納位置まで移動する。収納位置でロック機構を作用させることでオットマン本体３０は収納位置に固定される。
【００１９】
本発明に係るオットマン装置１０では、オットマン本体３０を前後方向に伸縮させることができる。以下、オットマン本体３０について説明する。
オットマン本体３０は、図２に示すように、基部４０と、基部４０に対してスライド移動するスライド部３１とからなる。なお、図示しないが、オットマン本体３０には基部４０及びスライド部３１を覆うパッド材や表面材が設けられる。
【００２０】
図３（ｂ）は足載せ位置においてスライド部３１を最も後ろに配置した最短位置であり、図３（ｃ）はスライド部３１を最も前に配置した最長位置である。また、図４は図３（ｂ）のIV矢視図であり、図５は図３（ｃ）のV矢視図である。なお、図４，図５において、上側が後側であり、下側が前側である。
【００２１】
基部４０には、リンク２３，２４が取り付けられる取付部４１が設けられている。また基部４０を貫通する溝４２，４３が前後方向に形成されている。基部４０の左右側部にはスライド部３１をスライド移動させるレール４４が設けられている。
【００２２】
また、基部４０の裏面には、スライド部３１を基部４０に対してスライド移動させるスライド機構が設けられている。スライド機構は、操作部６０のケーブル７３及びチューブ７４により駆動される。
【００２３】
操作部６０は、図１に示すように、シートボトム２の左側部に設けられている。図６は操作部６０を正面右側から見た斜視図である。また、図７は図１のVII−VII矢視断面図であり、図８は図７のVIII−VIII矢視断面図である。操作部６０は、図７，図８に示すように、ハウジング６１、コイルスプリング６２、ハンドル６３、シャフト６４、コア６５、係合部材６６からなるスプリングブレーキと、第１ドラム６７と、第２ドラム６８と、を備える。
ハウジング６１、コイルスプリング６２、第１ドラム６７、シャフト６４、コア６５、係合部材６６、第２ドラム６８は、図７には図示しない筐体内に収納されている。
【００２４】
ハウジング６１は筒状であり、内部にコア６５及びコイルスプリング６２を収容しており、シャフト６４及び係合部材６６が回転可能に取り付けられている。
コイルスプリング６２はハウジング６１の内周面と圧接するように収容されており、コイルスプリング６２の両端部６２ａ，６２ｂはハウジング６１の内側に突出するように配置されている。
【００２５】
シャフト６４にはハウジング６１内側の端部にコア６５が、ハウジング６１の外部に第１ドラム６７が、ハウジング６１外側の端部にハンドル６３が一体に設けられている。コア６５は図８に示すように略円板状であり、外周の一部が切り欠かれ、コイルスプリング６２の端部６２ａ，６２ｂと係合する係合部６５ａ，６５ｂが設けられている。
【００２６】
図８において、コア６５を右回転させる方向に回転力を作用させると、係合部６５ａがコイルスプリング６２の端部６２ａを右回転させ、コイルスプリング６２を縮径させる。これにより、コイルスプリング６２とハウジング６１の内周面との摩擦が低下し、コア６５及びコイルスプリング６２の回転が許容される。
【００２７】
同様に、図８において、コア６５を左回転させる方向に回転力を作用させると、係合部６５ｂがコイルスプリング６２の端部６２ｂを左回転させ、コイルスプリング６２を縮径させる。これにより、コイルスプリング６２とハウジング６１の内周面との摩擦が低下し、コア６５及びコイルスプリング６２の回転が許容される。
【００２８】
係合部材６６はハウジング６１の外部に第２ドラム６８が、ハウジング６１の内側の端部に係合突起６６ｃを有している。係合突起６６ｃはコア６５の切り欠き部６５ｃに配置され、コア６５に対して相対的に回転することにより係合部６５ａ，６５ｂと当接し、コア６５の回転を係合部材６６に伝達する。
【００２９】
なお、図８において、係合部材６６側に右回転方向の回転力が作用すると、係合突起６６ｃがコイルスプリング６２の端部６２ｂを右回転させ、コイルスプリング６２を拡径させる。これにより、コイルスプリング６２とハウジング６１の内周面との摩擦が増大し、コア６５、係合部材６６及びコイルスプリング６２の回転が制限される。
【００３０】
同様に、図８において、係合部材６６側に左回転方向の回転力が作用すると、係合突起６６ｃがコイルスプリング６２の端部６２ａを左回転させ、コイルスプリング６２を拡径させる。これにより、コイルスプリング６２とハウジング６１の内周面との摩擦が増大し、コア６５、係合部材６６及びコイルスプリング６２の回転が制限される。
したがって、係合部材６６側からコア６５側に回転力が伝達されることはなく、常にコア６５側から係合部材６６側に回転力が伝達される。
【００３１】
第１ドラム６７にはケーブル７１の一端が固定されている。ケーブル７１はチューブ７２に挿通され、ケーブル７１の他端は左側のリンク２５に設けられた係合部２５ａに係合している。チューブ７２の両端は固定部２１の取付部に取り付けられている。なお、チューブ７２の一端を操作部６０の筐体に固定してもよい。
【００３２】
図１，図８においてハンドル６３を左方向（前方向）に回転させることでケーブル７１が第１ドラム６７に巻き取られる。
また、図１，図８においてハンドル６３を右方向（後方向）に回転させることでケーブル７１はチューブ７２から繰り出され、逆にケーブル７１をチューブ７２から引き出す方向に引っ張ることで第１ドラム６７及びハンドル６３に右回転方向の回転力が作用する。
【００３３】
第２ドラム６８にはケーブル７３の一端が固定されている。ケーブル７３はチューブ７４に挿通され、ケーブル７３の他端は後述するスライド機構のアーム５１ａの先端に設けられた係合部に係合している。チューブ７４の一端はシートボトム２のフレームに固定されており、チューブ７４の他端は後述するスライド機構の基部４０の取付部に取り付けられている。なお、チューブ７４の一端をシートボトム２の操作部６０のハウジング６１に固定してもよい。
図１，図８においてハンドル６３を右方向（後方向）に回転させることでケーブル７３が第２ドラム６８に巻き取られ、ハンドル６３を左方向（前方向）に回転させることでケーブル７３はチューブ７４から繰り出される。
【００３４】
スライド機構は、リンク５１，５２と、バネ５４（付勢部材）等とから概略構成される。
リンク５１は２つのアーム５１ａ，５１ｂを有し、その中央部で基部４０の裏面に揺動可能に取り付けられている。図４，図５において、リンク５１が左回転するとアーム５１ａの先端が後方に、アーム５１ｂの先端が前方に移動し、リンク５１が右回転するとアーム５１ａの先端が前方に、アーム５１ｂの先端が後方に移動する。
【００３５】
一方のアーム５１ａの先端には、ケーブル７３が挿通されケーブル７３の先端７３ａと係合する係合部５１ｃが設けられている。ケーブル７３はチューブ７４に挿通され、ケーブル７３の他端側がチューブ７４から延出して、ケーブル７３の他端側がシートボトム２に設けられた操作部６０の第２ドラム６８に巻き付けられる。
ケーブル７３は操作部６０のハンドル６３を操作することによりチューブ７４に対して長さ方向にスライド移動される。なお、チューブ７４はケーブル７３が後ろ向きに繰り出されるように基部４０に取り付けられており、チューブ７４からケーブル７３を繰り出すと、ケーブル７３の先端７３ａは後方に移動する。
【００３６】
他方のアーム５１ｂの先端には、リンク５２の一端が揺動可能に取り付けられている。リンク５２の他端には溝４２に挿通されるピン５３が設けられている。リンク５２のピン５３が設けられた端部は、ピン５３が溝４２に挿通されているため、溝４２に沿って前後にスライド移動する。
溝４２に挿通されたピン５３の先端は基部４０の表側においてスライド部３１に固定される。
【００３７】
スライド部３１の左右側部にはレールガイド３２が設けられ、レールガイド３２は基部４０に設けられたレール４４に対してスライド移動する。
また、スライド部３１の裏面には、バネ引張部３３が取り付けられる。バネ引張部３３は基部４０の溝４３に挿通され、溝４３に沿って前後にスライド移動する。
バネ引張部３３の後端部には、基部４０の裏側においてバネ５４の一端が取り付けられている。バネ５４の他端は基部４０の裏面に設けられたバネ固定部４５に固定されている。バネ５４はバネ引張部３３が前後にスライド移動するのに伴って伸縮する。
【００３８】
バネ５４は自然長よりも伸張されているので、バネ引張部３３、スライド部３１及びリンク５２が前方向に付勢され、リンク５１が図４，図５において左回転方向に付勢されている。しかし、アーム５１ａの先端に係合するケーブル７３の張力がリンク５１を左回転方向に付勢するバネ５４の引張力に抗するため、ケーブル７３の先端７３ａの位置を動かさない限り、スライド部３１は静止している。なお、図４に示す最短位置では、チューブ７４から繰り出されたケーブル７３の長さが最も短く、図５に示す最長位置では、チューブ７４から繰り出されたケーブル７３の長さが最も長い。
【００３９】
次に、スライド機構によるオットマン本体３０の伸縮について説明する。
スライド部３１を前進させるときは、操作部６０のハンドル６３を前方向に倒し、ケーブル７３の第２ドラム６８からの繰り出し長さを増やし、ケーブル７３の先端７３ａを後ろ方向に移動させることにより、リンク５１の回転を許容する。すると、バネ５４の引張力によりスライド部３１、バネ引張部３３及びリンク５２が前進し、リンク５２によりアーム５１ｂの先端が前方に引っ張られ、リンク５１が図４，図５において左回りに回転し、アーム５１ａの先端がケーブル７３の先端７３ａの位置まで後方に移動する。
このとき、第１ドラム６７によりケーブル７１が巻き取られ、ケーブル７１の先端７１ａが係合部２５ａの位置まで移動する。
【００４０】
スライド部３１を後退させるときは、操作部６０のハンドル６３を後方向に倒し、ケーブル７３の繰り出し長さを減らし、ケーブル７３の先端７３ａを前方向に移動させる。すると、アーム５１ａがケーブル７３により前方向に引っ張られ、リンク５１が図４，図５において右回りに回転し、アーム５１ｂの先端がリンク５２を後方に引っ張り、スライド部３１及びバネ引張部３３が後退し、バネ５４の弾性力に抗してバネ５４が伸張される。
このとき、第１ドラム６７よりケーブル７１が繰り出され、先端７１ａが係合部２５ａの位置から離れる。
【００４１】
このように、スライド部３１の変位量はケーブル７３の繰り出し長さに依存するため、ケーブル７３の繰り出し長さを変えることで、任意の変位量だけスライド部３１を前進または後退させることができる。
ここで、ケーブル７３は操作部６０の第２ドラム６８に巻き付けられているため、ケーブル７３の繰り出し長さを任意とすることができる。
したがって、シート１に設けられた操作部６０のハンドル６３を操作して第２ドラム６８にケーブル７３を任意の長さだけ巻き取ることで、スライド部３１を付勢方向と反対方向に駆動し、第２ドラム６８からケーブル７３を任意の長さだけ繰り出してスライド部３１の付勢方向への移動を許容するので、スライド部３１を前後方向の任意の位置に固定することができる。
【００４２】
また、本発明にかかるオットマン装置では、オットマン本体３０を伸張させた状態のまま、オットマン本体３０を収納位置に移動させようとすることで、以下に示すように、スライド部３１を後退させオットマン本体３０を短縮させることができる。
【００４３】
すなわち、スライド部３１が前進した状態では、図３（ｃ）に示すように、ケーブル７１の先端７１ａが係合部２５ａの位置にある。この状態でオットマン本体３０を収納位置に移動させようとすると、リンク２５が下方に回転し、係合部２５ａが取付部２１ａから遠ざかるため、ケーブル７１の先端７１ａが係合部２５ａにより引っ張られ、チューブ７２から引き出される。
【００４４】
ケーブル７１がチューブ７２から引き出される方向に引っ張られると、第１ドラム６７及びハンドル６３に左回転方向の回転力が作用する。すると、第１ドラム６７、ハンドル６３及び第２ドラム６８が左回転し、ケーブル７３が第２ドラム６８に巻き取られる。
【００４５】
ケーブル７３の繰り出し長さが減ると、ケーブル７３の先端７３ａが前方向に移動し、アーム５１ａがケーブル７３により前方向に引っ張られ、リンク５１が図４，図５において右回りに回転し、アーム５１ｂの先端がリンク５２を後方に引っ張り、スライド部３１及びバネ引張部３３が後退し、バネ５４の弾性力に抗してバネ５４が伸張される（図４）。
【００４６】
このように、本発明によれば、オットマン本体３０のスライド部３１を後退させる操作をすることなく、オットマン本体３０を収納位置に移動させることができる。
【００４７】
なお、以上の実施形態においては、バネ５４によりスライド部３１を基部４０に対して前方向に付勢し、ケーブル７３を繰り出すことによりスライド部３１を前進させ、ケーブル７３を引っ張ることによりスライド部を後退させたが、逆に、バネ５４によりスライド部３１を基部４０に対して後方向に付勢し、ケーブル７３を繰り出すことによりスライド部３１を後退させ、ケーブル７３を引っ張ることによりスライド部を前進させてもよい。
【００４８】
また、以上の実施形態においては、固定部２１にチューブ７２の一端部を取り付ける取付部２１ａを設け、リンク２５にケーブル７１の先端７１ａと係合する係合部２５ａを設けたが、オットマン本体３０を足載せ位置から収納位置に移動させるときにケーブル７１が引っ張られるような位置であれば、他の任意の位置に取付部、係合部を設けてもよい。
その他の具体的な細部構造についても適宜変更可能である。
【図面の簡単な説明】
【００４９】
【図１】本発明に係るオットマン装置１０を取り付けたシート１の側面図である。
【図２】オットマン装置１０の分解斜視図である。
【図３】（ａ）〜（ｃ）はオットマン装置１０の動作を示す側面図である。
【図４】図３（ｂ）のIV矢視図である。
【図５】図３（ｃ）のV矢視図である。
【図６】操作部６０を正面右側から見た斜視図である。
【図７】図１のVII−VII矢視断面図である。
【図８】図７のVIII−VIII矢視断面図である。
【符号の説明】
【００５０】
１     シート
１０   オットマン装置
２０   リンク機構（展開装置）
３０   オットマン本体
３１   スライド部
４０   基部
５４   バネ（付勢部材）
６４   シャフト
６７   第１ドラム
６８   第２ドラム
７１   第１ケーブル
７３   第２ケーブル
【図１】
2008049066.tif 000003
【図２】
2008049066.tif 000004
【図３】
2008049066.tif 000005
【図４】
2008049066.tif 000006
【図５】
2008049066.tif 000007
【図６】
2008049066.tif 000008
【図７】
2008049066.tif 000009
【図８】
2008049066.tif 000010